(57)【要約】【課題】パネルに対する安定した弛み止め効果が得られる電気部品を提供する。【解決手段】スイッチ１０は、取付孔１３を通り裏面１２ｂ側に突出するネジ部１４ｆおよびフランジ１４ｃを備える本体１４と、ナット１８と、パネル１２とナット１８との間に設けられる取付具２０とを有する。取付具２０は、ネジ部１４ｆの周囲を囲いナット１８が当接するナット当接板２２と、ナット当接板２２からパネル１２の方向に突出する一対の突出板２４とを有する。突出板２４は、ナット当接板２２につながるベース部２６と、ベース部２６との接続基端部３０から延在しているレバー部３２とを有する。レバー部３２は、ナット１８の非螺入状態では先端が接続基端部３０よりもパネル１２に近くなるように延在し、ナット１８がネジ部１４ｆに螺入されることにより弾性変形して先端がパネル１２の裏面１２ｂに当接している。【選択図】図１
2020009534.tif 000002
【特許請求の範囲】
【請求項１】
パネルの取付孔を通り裏面側に突出するネジ部、および前記パネルの表面に係合する係合部を備える本体と、
前記ネジ部に螺合するナットと、
前記パネルと前記ナットとの間に設けられる取付具と、
を有し、
前記取付具は、
前記ネジ部を囲い前記ナットが当接するナット当接板と、
前記ナット当接板から前記パネルの方向に突出する一対の突出板と、
を有し、
前記突出板は、
前記ナット当接板につながるベース部と、
前記ベース部との接続基端部から延在しているレバー部と、
を有し、
前記レバー部は、前記ナットの非螺入状態では先端が前記接続基端部よりも前記パネルに近くなるように延在し、前記係合部を前記パネルの表面に係合させた状態で前記ナットが前記ネジ部に螺入されることにより弾性変形して先端が前記パネルの裏面に当接していることを特徴とする電気部品。
【請求項２】
請求項１に記載の電気部品において、
前記レバー部の先端に設けられ、前記パネルに向かって凸の第１パネル当接子を備えることを特徴とする電気部品。
【請求項３】
請求項１または２に記載の電気部品において、
前記接続基端部に設けられ、前記パネルに向かって凸の第２パネル当接子を備えることを特徴とする電気部品。
【請求項４】
請求項１〜３のいずれか１項に記載の電気部品において、
前記ベース部または前記レバー部の一方に設けられ、他方に向かって凸のレバー支持突起を備えることを特徴とする電気部品。
【請求項５】
請求項１〜４のいずれか１項に記載の電気部品において、
前記レバー部は１つの前記突出板に対して１本または２本設けられ、前記接続基端部を含めた合計全長は前記突出板の全長に等しいことを特徴とする電気部品。
【請求項６】
請求項１〜４のいずれか１項に記載の電気部品において、
前記レバー部は、Ｕ字に折り返す屈曲部を有することを特徴とする電気部品。
【請求項７】
請求項６に記載の電気部品において、
前記レバー部は１つの前記突出板に対して２本設けられ、
前記突出板における２本の前記レバー部の間には前記パネルに向かって凸の第３パネル当接子が設けられていることを特徴とする電気部品。
【発明の詳細な説明】
【技術分野】
【０００１】
本発明は、パネルの取付孔に取り付けられる電気部品に関する。
【背景技術】
【０００２】
スイッチ、表示灯、表示灯付スイッチ、計器、メータ等の電気部品にはパネルの取付孔に取り付けられるタイプのものがある。例えば、特許文献１に記載の操作スイッチでは、スイッチ本体のうちネジ部を有する筒状部をパネルの取付孔に挿入し、そのネジ部に対してナットを螺入して締めつけている。ネジ部とパネル裏面との間には座金が介在している。電気部品をパネルに取り付ける際には振動、衝撃、経年変化（樹脂の劣化）等で取り付け後にガタが生じることのないように弛み止めの手段を設けることが望ましい。
【０００３】
図９に従来のパネル取付型の操作スイッチ５００を示す。操作スイッチ５００は、パネル５０２の取付孔５０２ａから本体５０４が裏面側に突出する。本体５０４にはネジ部５０４ａが設けられており、該ネジ部５０４ａにはナット５０６が螺入される。パネル５０２とナット５０６との間にはコ字状の取付具５０８が介在する。この操作スイッチ５００ではナット５０６が当接する取付具５０８の面に放射状の溝部５０８ａを設け、ナット５０６の締めつけによりその当接部５０６ａが変形することにより弛み止めの手段となっている。ナット５０６は樹脂製である。
【先行技術文献】
【特許文献】
【０００４】
【特許文献１】特開２００８−１０８５３７号公報
【発明の概要】
【発明が解決しようとする課題】
【０００５】
上記の操作スイッチ５００では、適正な弛み止め効果を発揮させるためには溝５０８ａの深さや形状を精度よく形成しなくてはならない。また繰り返してナット５０６の締めつけを行った場合には、取付け回数に応じて溝部５０８ａに対する当接部５０６ａが変形を繰り返し、変形量が増大してしまい、安定した弛み止め効果が維持できなくなる懸念があった。また、溝部５０８ａを高硬度材にするとともに当接する相手材はそれよりも柔らかい材質にする必要があり、材質が限定される。
【０００６】
本発明は、上記の課題に鑑みてなされたものであって、取付回数、振動、衝撃、経年変化にかかわらずパネルに対する安定した弛み止め効果が得られる電気部品を提供することを目的とする。
【課題を解決するための手段】
【０００７】
上述した課題を解決し、目的を達成するために、本発明にかかる電気部品は、パネルの取付孔を通り裏面側に突出するネジ部、および前記パネルの表面に係合する係合部を備える本体と、前記ネジ部に螺合するナットと、前記パネルと前記ナットとの間に設けられる取付具と、を有し、前記取付具は、前記ネジ部を囲い前記ナットが当接するナット当接板と、前記ナット当接板から前記パネルの方向に突出する一対の突出板と、を有し、前記突出板は、前記ナット当接板につながるベース部と、前記ベース部との接続基端部から延在しているレバー部と、を有し、前記レバー部は、前記ナットの非螺入状態では先端が前記接続基端部よりも前記パネルに近くなるように延在し、前記係合部を前記パネルの表面に係合させた状態で前記ナットが前記ネジ部に螺入されることにより弾性変形して先端が前記パネルの裏面に当接していることを特徴とする。
【０００８】
前記レバー部の先端に設けられ、前記パネルに向かって凸の第１パネル当接子を備えてもよい。
【０００９】
前記接続基端部に設けられ、前記パネルに向かって凸の第２パネル当接子を備えてもよい。
【００１０】
前記ベース部または前記レバー部の一方に設けられ、他方に向かって凸のレバー支持突起を備えてもよい。
【００１１】
前記レバー部は１つの前記突出板に対して１本または２本設けられ、前記接続基端部を含めた合計全長は前記突出板の全長に等しく設定してもよい。
【００１２】
前記レバー部は、Ｕ字に折り返す屈曲部を有してもよい。
【００１３】
前記レバー部は１つの前記突出板に対して２本設けられ、前記突出板における２本の前記レバー部の間には前記パネルに向かって凸の第３パネル当接子が設けられていてもよい。
【発明の効果】
【００１４】
本発明にかかる電気部品においては、係合部をパネルの表面に係合させた状態でナットがネジ部に螺入されることにより、レバー部が弾性変形して先端がパネルの裏面に当接している。これにより、取付回数、振動、衝撃、経年変化によるガタが抑制され、パネルに対する安定した弛み止め効果が得られる。
【図面の簡単な説明】
【００１５】
【図１】図１は、実施の形態にかかるスイッチの分解斜視図である。
【図２】図２は、実施の形態にかかるスイッチの平面図である。
【図３】図３は、取付具の斜視図である。
【図４】図４は、スイッチをパネルに取り付ける工程でナット締め付け前の状態を示す平面図である。
【図５】図５は、スイッチをパネルに取り付ける工程でナット締め付け中の状態を示す平面図である。
【図６】図６は、取付具の第１の変形例にかかる取付具の斜視図である。
【図７】図７は、取付具の第２の変形例にかかる取付具の斜視図である。
【図８】図８は、取付具の第３の変形例にかかる取付具の斜視図である。
【図９】図９は、従来の操作スイッチの分解斜視図である。
【発明を実施するための形態】
【００１６】
以下に、本発明にかかる電気部品の実施形態を図面に基づいて詳細に説明する。なお、この実施形態によりこの発明が限定されるものではない。
【００１７】
図１は、本発明にかかる電気部品の実施形態であるスイッチ１０を示す分解斜視図である。図２は、スイッチ１０の平面図である。スイッチ１０はパネル１２の取付孔１３に取り付けられるものであり、本体１４と、パッキン１６と、ナット１８と、取付具２０とを有する。図１でパネル１２の露呈している側を表面１２ａ、その反対側を裏面１２ｂとする。また、パネル１２を基準として表面１２ａの方向を前方、裏面１２ｂの方向を後方とする。取付孔１３は矩形となっている。
【００１８】
図１および図２に示すように、本体１４は前方の操作部１４ａと、後方の接点部１４ｂとを有する。操作部１４ａは、最も前方に配置されたフランジ（係合部）１４ｃと、該フランジ１４ｃで囲まれた部分の操作面１４ｄと、フランジ１４ｃから後方に突出するボックス部１４ｅとを有する。フランジ１４ｃは取付孔１３よりもやや大きい矩形であり、パッキン１６を介して表面１２ａに係合する部分である。表面１２ａからのフランジ１４ｃの突出量は小さい。ボックス部１４ｅは矩形断面のボックス形状で、取付孔１３に挿入されて後方に突出する部分であり、断面積が取付孔１３よりもわずかに小さく形成されている。ボックス部１４ｅは操作面１４ｄの押し込み移動量を確保するだけの厚みがあり、パネル１２よりも十分に厚い。また、電気部品の他の実施形態として、例えば表示灯（図示せず）では、ボックス部１４ｅに相当する部分に発光体を設けるとよい。
【００１９】
接点部１４ｂは、操作面１４ｄのスイッチ操作に連動する接点が内部に設けられている。接点部１４ｂはボックス部１４ｅからさらに後方に向けて突出しており、円柱形状である。接点部１４ｂの径はボックス部１４ｅの最短辺よりもわずかに小さい。接点部１４ｂにおける前方略半分には周面にネジ部１４ｆが設けられている。ネジ部１４ｆには２つのカット面１４ｇが設けられている。接点部１４ｂの最も後方には２本の端子１４ｈが設けられている。
【００２０】
パッキン１６はフランジ１４ｃの後方面に合わせた矩形であり、適度に薄く形成されている。
【００２１】
ナット１８はネジ部１４ｆに螺入される円筒形状の部品である。ナット１８の周面には、滑り止め用の細かい多数の縦溝が設けられている。
【００２２】
図３に示すように、取付具２０は、ネジ部１４ｆのまわりを囲ってナット１８が当接するナット当接板２２と、ナット当接板２２から前方に向かって突出する一対の突出板２４とを有する。一対の突出板２４は平行で、ナット当接板２２の上下で対向している。ナット当接板２２には、ネジ部１４ｆが挿入される孔２２ａが設けられている。孔２２ａには、カット面１４ｇに合わせた平坦部２２ｂが設けられており、本体１４に対する向きが規定されるとともに、回り止めとなっている。取付具２０およびナット１８は樹脂材または金属材を用いることができ、それぞれ硬度についての制限は小さい。
【００２３】
一対の突出板２４はそれぞれ、ナット当接板２２につながるベース部２６と、中央の接続基端部３０でベース部２６と接続された２本のレバー部３２とを有する。２本のレバー部３２は接続基端部３０を中心に対称構成であってバランスが良い。レバー部３２は接続基端部３０を支点として曲げ弾性変形可能である。また、接続基端部３０を含めた２本のレバー部３２の合計全長は突出板２４の全長に等しくなっており、レバー部３２が十分長く確保されている。これにより、レバー部３２が板バネ状となり弾性体として好適な形状になっている。十分な長さを確保するためには、レバー部３２の本数は１枚の突出板２４あたり１本または２本にするとよい。ベース部２６とレバー部３２との間にはスリット３４が形成されている。レバー部３２は、接続基端部３０から突出板２４の両端に向かって延在するが、組立前でナット１８の非螺入状態では、先端が接続基端部３０よりもパネル１２に近くなるようにわずかに傾斜している。
【００２４】
レバー部３２は、ナット１８の非螺入状態ではパネル１２の方向に傾斜し、ナット１８がネジ部１４ｆに螺入されることにより弾性変形してスリット３４を狭める。
【００２５】
レバー部３２の先端には、パネル１２に向かって凸の第１パネル当接子３６が備えられている。接続基端部３０には、パネル１２に向かって凸の第２パネル当接子３８が備えられている。
【００２６】
ベース部２６の両端には、パネル１２に向かって凸のレバー支持突起４０が設けられている。レバー支持突起４０はスリット３４を介して第１パネル当接子３６の後方面に対向するよう配置されている。後述するように、第２パネル当接子３８およびレバー支持突起４０は、レバー部３２の弾性変形を一定量で制限する弾性変形制限部となる。
【００２７】
第１パネル当接子３６、第２パネル当接子３８およびレバー支持突起４０の各頂部には狭い平坦面が設けられている。第２パネル当接子３８の平坦面は第１パネル当接子３６およびレバー支持突起４０の平坦面の約２倍の面積となっている。
【００２８】
次に、このように構成されるスイッチ１０をパネル１２に取り付ける工程について説明する。
【００２９】
まず、パッキン１６をフランジ１４ｃの後方面に合わせ込み、その状態で接点部１４ｂを取付孔１３に挿入して後方に突出させる（図１参照）。図４に示すように、フランジ１４ｃはパッキン１６を介して表面１２ａに係合する。
【００３０】
次いで、取付具２０をネジ部１４ｆに嵌め込み、さらにナット１８を接点部１４ｂに嵌め込む。このとき、取付具２０は４つの第１パネル当接子３６だけがパネル１２の裏面１２ｂに当接しており、第２パネル当接子３８は裏面１２ｂから離間しており、レバー支持突起４０はレバー部３２から離間している。一対の突出板２４はボックス部１４ｅの２つの側面を覆うように配置される。ナット当接板２２はボックス部１４ｅの後方面からはやや離れた位置に配置されて干渉することがない。このように、一対の突出板２４によりボックス部１４ｅのスペースが確保されている。
【００３１】
この後、図５に示すように、ナット１８をネジ部１４ｆに対して螺入させる。ナット１８は螺入によって変位し、取付具２０を前方へと押し出す。これにより、４本のレバー部３２が接続基端部３０との接続端を支点として弾性変形し、スリット３４の幅が狭められる。
【００３２】
図２に示すように、ナット１８の締め込みにより、レバー部３２は仮想線の状態から実線の状態まで弾性変形する。そして、第２パネル当接子３８が裏面１２ｂに当接するとともに、レバー支持突起４０がレバー部３２の端部後方面に当接することになる。こうしてレバー部３２の弾性変形が制限されて取付具２０はそれ以上前方に変位しなくなり、ナット１８の締め込みが終了する。つまり、第２パネル当接子３８およびレバー支持突起４０は、レバー部３２の弾性変形を一定量で制限する弾性変形制限部として作用する。
【００３３】
このようにスイッチ１０では、レバー部３２がパネル１２の裏面１２ｂとベース部２６との間で弾性変形していることにより、常にバネ荷重が掛かり、振動、衝撃や経年変化の影響が抑制されてガタを防止した弛み止め効果が得られる。レバー部３２の弾性変形はナット１８の螺入による締め付けで行われ、組立工程は簡便である。レバー部３２は適度に長いため弾性変形量により、ナット１８の締め付け具合を目視で確認することができる。さらに、ナット１８の締め付け具合は、例えば位置Ｐで示すように、レバー支持突起４０がレバー部３２に当接することにより簡便に確認できる。これによりトルクレンチ等によるトルク管理を省略することが可能である。
【００３４】
さらにまた、スイッチ１０における弛み止めはレバー部３２の弾性変形に基づいており、基本的には塑性変形する箇所はないため、パネル１２への取付け回数にかかわらず弛み止め効果が低下することがなく、安定した弛み止め効果が得られる。
【００３５】
レバー部３２の曲げ弾性変形は第２パネル当接子３８およびレバー支持突起４０によって適量で制限され、しかもナット１８がそれ以上螺入されなくなることから、作業者は締め込みの終了を認識することができる。また、自動機でナット１８の締め込みを行う場合にも、トルク管理により適正な締め込みを行うことができる。ただし、このようにレバー部３２の曲げ弾性変形が制限された後にも、いずれかの箇所（例えばベース部２６）をわずかに弾性圧縮させることによりナット１８を多少増し締めしてもよい。取付具２０は、２か所の第２パネル当接子３８と四隅のレバー支持突起４０でパネル１２に対して支持されることになり安定する。取付具２０は簡単な構成であり低コストであるとともに、精密溝が不要であることから製作が容易である。
【００３６】
取付具２０は、例えば図６に示す取付具２０ａ、図７に示す取付具２０ｂ、または図８に示す取付具２０ｃで置き替えてもよい。取付具２０ａ，２０ｂ，２０ｃにおいて、取付具２０と同様の構成要素には同符号を付してその詳細な説明を省略する。突出板２４にかかる要素で取付具２０における要素と類似の構成要素については取付具２０ａでは符号にａを付加し、取付具２０ｂでは符号にｂを付加し、取付具２０ｃでは符号にｃを付加する。
【００３７】
図６に示すように、第１の変形例にかかる取付具２０ａでは、各突出板２４が２本のレバー部３２ａを有する。レバー部３２ａは突出板２４における両端の接続基端部３０ａでベース部２６と接続されている。レバー部３２ａは弾性変形可能である。２本のレバー部３２ａは突出板２４の中央位置で接続されており、この接続部にはパネル１２に向かって凸の第１パネル当接子３６ａが備えられている。接続基端部３０ａには、パネル１２に向かって凸の第２パネル当接子３８ａが備えられている。２本のレバー部３２ａは接続部を中心に対称構成であってバランスが良い。また、接続基端部３０ａを含めた２本のレバー部３２ａの合計全長は突出板２４の全長に等しくなっており、レバー部３２ａが十分長く確保されている。ベース部２６とレバー部３２ａとの間にはスリット３４ａが形成されている。レバー部３２ａは、接続基端部３０ａから突出板２４の中央に向かって延在するが、組立前の状態、つまりナット１８の非螺入状態では先端が接続基端部３０ａよりもパネル１２に近くなるようにわずかに傾斜して延在している。レバー部３２ａは、ナット１８がネジ部１４ｆに螺入されることにより弾性変形して先端がパネル１２の裏面１２ｂに当接する。
【００３８】
このような取付具２０ａは上記の取付具２０に代えてスイッチ１０に適用することができる。この場合組立工程において、まず第１パネル当接子３６ａが裏面１２ｂに当接する。そして、ナット１８の締め付けにより４本のレバー部３２ａがやや圧縮されながら接続基端部３０ａとの接続端を支点として弾性変形し、スリット３４ａの幅が狭められ、やがて第２パネル当接子３８ａも裏面１２ｂに当接してナット１８の締め付けが終了する。取付具２０ａでは、仮想線で示すようなレバー支持突起４０ａを設けて、ナット１８の締め付け終了時に第１パネル当接子３６ａの裏側部分を支持させてもよい。
【００３９】
図７に示すように、第２の変形例にかかる取付具２０ｂでは、各突出板２４が１本のレバー部３２ｂを有する。レバー部３２ｂは各突出板２４における一端の接続基端部３０ｂでベース部２６と接続されている。レバー部３２ｂは弾性変形可能である。レバー部３２ｂは突出板２４の他端に向かって延在しており、この他端にはパネル１２に向かって凸の第１パネル当接子３６ｂが備えられている。接続基端部３０ｂには、パネル１２に向かって凸の第２パネル当接子３８ｂが備えられている。取付具２０ｂで２本設けられるレバー部３２ｂは、一対の突出板２４で互いに逆向きに延在しておりバランスがよい。また、接続基端部３０ｂを含めた１本のレバー部３２ｂの合計全長は突出板２４の全長に等しくなっており、レバー部３２ｂが十分長く確保されている。ベース部２６とレバー部３２ｂとの間にはスリット３４ｂが形成されている。レバー部３２ｂは、接続基端部３０ｂから他端に向かって延在するが、組立前の状態ではわずかにパネル１２の方向に傾斜している。
【００４０】
レバー部３２ｂの中央位置には、パネル１２に向かって凸の補助当接子４２が設けられている。レバー部３２ｂにおける第１パネル当接子３６ｂの裏側には、ベース部２６に向かって凸のレバー支持突起４０ｂが設けられている。レバー支持突起４０ｂはベース部２６の側に設けられていてもよい。
【００４１】
このような取付具２０ｂは上記の取付具２０に代えてスイッチ１０に適用することができる。この場合組立工程において、まず第１パネル当接子３６ｂが裏面１２ｂに当接する。そして、ナット１８の締め付けにより２本のレバー部３２ｂが接続基端部３０ｂとの接続端を支点として弾性変形し、スリット３４ｂの幅が狭められ、やがて第２パネル当接子３８ｂも裏面１２ｂに当接してナット１８の締め付けが終了する。このとき、レバー支持突起４０ｂがベース部２６の端部に当接するとともに、補助当接子４２が裏面１２ｂに当接する。
【００４２】
取付具２０ｂでは、レバー部３２ｂを接続基端部３０ｂで接続されている一方のベース部２６に沿って延在させているが、このベース部２６に対して直角とし、他方のベース部２６における端部まで延在させてもよい。この場合レバー支持突起４０ｂは他方のベース部２６の端面に当接することになる。
【００４３】
図８に示すように、第３の変形例にかかる取付具２０ｃでは、各突出板２４が２本のレバー部３２ｃを有する。各レバー部３２ｃは突出板２４における両端の接続基端部３０ｃでベース部２６と接続されており、該接続基端部３０ｃから中央に向かって延在し、さらにＵ字に折り返す屈曲部４３を経て突出板２４の両端部まで戻る形状となっている。レバー部３２の先端にはパネル１２に向かって凸の第１パネル当接子３６ｃが備えられている。レバー部３２ｃは弾性変形可能である。接続基端部３０ｃには、パネル１２の方向に向かって凸のレバー支持突起４０ｃが備えられている。突出板２４の中央で、２本のレバー部３２ｃの間にはパネル１２に向かって凸の第３パネル当接子４４が設けられている。
【００４４】
このような取付具２０ｃでは、レバー部３２ｃが屈曲部４３によって折り返す形状となっていることから十分な長さが確保され、単位長さあたりの弾性変形量を小さくすることができる。したがって、レバー部３２ｃを２本設けても幅方向に余裕があり、中央部に設ける第３パネル当接子４４を大きくすることができる。第３パネル当接子４４は大きく、パネル１２に安定して当接する。
【００４５】
取付具２０ａ，２０ｂ，２０ｃによれば上記の取付具２０と同様に、パネル１２への取付時にレバー部３２ａ，３２ｂが弾性変形することにより、取付回数、振動、衝撃、経年変化によるガタが抑制されて、安定した弛み止め効果が得られる。
【００４６】
本発明は、上記した実施形態に限定されるものではなく、本発明の主旨を逸脱しない範囲で自由に変更できることは勿論である。
【符号の説明】
【００４７】
１０  スイッチ（電気部品）
１２  パネル
１２ａ  表面
１２ｂ  裏面
１３  取付孔
１４  本体
１４ｆ  ネジ部
１４ｃ  フランジ（係合部）
１６  パッキン
１８  ナット
２０，２０ａ，２０ｂ，２０ｃ  取付具
２２  ナット当接板
２４  突出板
２６  ベース部
３０，３０ａ，３０ｂ，３０ｃ  接続基端部
３２，３２ａ，３２ｂ，３２ｃ  レバー部
３４，３４ａ，３４ｂ，３４ｃ  スリット
３６，３６ａ，３６ｂ，３６ｃ  第１パネル当接子
３８，３８ａ，３８ｂ  第２パネル当接子
４０，４０ａ，４０ｂ  レバー支持突起
４２  補助当接子
４３  屈曲部
４４  第３パネル当接子
【図１】
2020009534.tif 000003
【図２】
2020009534.tif 000004
【図３】
2020009534.tif 000005
【図４】
2020009534.tif 000006
【図５】
2020009534.tif 000007
【図６】
2020009534.tif 000008
【図７】
2020009534.tif 000009
【図８】
2020009534.tif 000010
【図９】
2020009534.tif 000011